(57)【要約】【課題】  写真撮影装置の撮影ブース内において、ユーザが撮影ブース内のスペースを有効に活用して、より好みに応じた個性的な撮影ポーズを形成できるようにする。【解決手段】  撮影ブース６内のユーザ７を撮影するカメラ２と、撮影ブース６内に設けられ、ユーザ７の撮影ポーズの形成を補助する姿勢補助手段８とを備える写真撮影装置であって、姿勢補助手段８は、撮影ブース６内の両側面６ａの上下に沿って配置される一対の側部姿勢補助部４０と、一方の側部姿勢補助部４０Ａの上部から他方の側部姿勢補助部４０Ｂの上部に向け、撮影ブース６内の天井６ｂに沿って配置される上部姿勢補助部４４とを有し、一対の側部姿勢補助部４０は、ユーザ７の手足を支持する複数の手足支持部４２を異なる高さに有する。【選択図】図１
2007041241.tif 000002
【特許請求の範囲】
【請求項１】
撮影ブース内のユーザを撮影する撮影手段と、前記撮影ブース内に設けられ、前記ユーザの撮影ポーズの形成を補助する姿勢補助手段とを備える写真撮影装置であって、前記姿勢補助手段は、前記撮影ブース内の両側面の上下に沿って配置される一対の側部姿勢補助部と、一方の側部姿勢補助部の上部から他方の側部姿勢補助部の上部に向け、前記撮影ブース内の天井に沿って配置される上部姿勢補助部とを有し、前記一対の側部姿勢補助部は、前記ユーザの手足を支持する複数の手足支持部を異なる高さに有することを特徴とする写真撮影装置。
【請求項２】
姿勢補助手段における上部姿勢補助部および一対の側部姿勢補助部は、梯子状であることを特徴とする請求項１記載の写真撮影装置。
【請求項３】
姿勢補助手段は、上部姿勢補助部と一対の側部姿勢補助部とが一体的に連なる門型形状であることを特徴とする請求項１または２記載の写真撮影装置。
【請求項４】
撮影時にユーザの背景となる背景手段を有し、姿勢補助手段は、前記背景手段よりも前記ユーザ側に配置されているとともに撮影手段の撮影範囲外に配置されていることを特徴とする請求項１〜３の何れか１項に記載の写真撮影装置。
【請求項５】
撮影ブース内のユーザを撮影する撮影手段を有する写真撮影装置における前記撮影ブース内に配置されて前記ユーザの撮影ポーズの形成を補助する写真撮影装置用姿勢補助具であって、前記撮影ブース内の両側面の上下に沿って配置される一対の側部姿勢補助部と、一方の側部姿勢補助部の上部から他方の側部姿勢補助部の上部に向け、前記撮影ブース内の天井に沿って配置される上部姿勢補助部とを有し、前記一対の側部姿勢補助部は、前記ユーザの手足を支持する複数の手足支持部を異なる高さに有することを特徴とする写真撮影装置用姿勢補助具。
【請求項６】
上部姿勢補助部および一対の側部姿勢補助部は、梯子状であることを特徴とする請求項５記載の写真撮影装置用姿勢補助具。
【請求項７】
上部姿勢補助部と一対の側部姿勢補助部とが一体的に連なる門型形状であることを特徴とする請求項５または６記載の写真撮影装置用姿勢補助具。
【発明の詳細な説明】
【技術分野】
【０００１】
本発明は、撮影ブース内に、被写体の撮影ポーズの形成を補助する姿勢補助手段を備えた写真撮影装置および写真撮影装置用姿勢補助具に関する。
【背景技術】
【０００２】
アミューズメント施設等に設置され、設けられた撮影ブース内において被写体（ユーザ）を自動的に撮影し、この撮影画像と、付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような写真撮影装置においては、被写体であるユーザが個性的な撮影ポーズを容易に形成することができるように、撮影ブース内に、ユーザの撮影ポーズの形成を補助する椅子などの姿勢補助手段が備えられたものがある。
【０００４】
例えば特許文献１には、被写体であるユーザが撮影ポーズの形成時に把持するためのハンドルと、ユーザの足場となるステップとが、撮影ブース内の両側面に取り付けられていることが記載されている。
【０００５】
このように、姿勢補助手段としてのハンドルおよびステップが、撮影ブース内に設けられていることで、ユーザは、例えば撮影時に片足でステップに乗ったうえで片手でハンドルを把持し、他方の手足を大きく広げるなどして、撮影ブースの側方から中央側に身を乗り出す姿勢で、撮影イメージに合う好みの撮影ポーズを容易に形成することができ、所望の写真撮影を行うことができる。
【特許文献１】意匠登録第１２１８８２２号公報
【発明の開示】
【発明が解決しようとする課題】
【０００６】
特許文献１に開示されているように、ハンドルおよびステップが撮影ブース内の両側面に設けられていることで、ユーザは、撮影ブースの側方から中央側に身を乗り出す姿勢で、撮影ポーズを形成することができるが、このようなハンドルおよびステップを用いて形成する撮影ポーズは、上記のような、ステップを足場とするとともにハンドルを把持するといった極めてシンプルなものにとどまってしまうことがある。
【０００７】
また、上記のような場合、ユーザはステップを利用することにより、撮影ポーズを形成する高さを変化させることができるが、その変化はステップの高さ、すなわちステップに乗るか乗らないかの差であり、仕上がる写真においてその変化が明確に現れないこともある。
【０００８】
ところが、ユーザにとっては、他のユーザと比べてより個性的な撮影ポーズを形成することで楽しく写真撮影をし、また仕上がった写真を見て満足できることが好ましく、上記のような姿勢補助手段を用いる場合、ユーザが思いつく撮影ポーズが限られるため、形成する撮影ポーズの自由度が低くなってしまい、より個性的な撮影ポーズの形成が困難になってしまう恐れがある。
【０００９】
また、ハンドルおよびステップが撮影ブース内の両側面の下部だけに取り付けられているため、上記のような姿勢補助手段を用いる場合、ユーザが撮影ポーズを形成できるのは、撮影ブースの両側面の近傍となってしまい、中央側が空きがちになり、撮影ブース全体を有効に活用できないおそれがある。
【００１０】
これに対し、ユーザが少しでも撮影ブースの中央側にて写真撮影ができるように、撮影ブースの中央に椅子などの姿勢補助手段を設けた写真撮影装置があることは知られているが、このような場合には、撮影ブースの中央に設置された姿勢補助手段が撮影ブースを占有しがちになり、ユーザに対して圧迫感を与える恐れがある。また、このように姿勢補助手段が撮影ブースの中央に設けられている場合には、特許文献１に開示されているようなハンドルおよびステップとは異なり、撮影ブースの側方を支点にして撮影ブースの側方から中央側に身を乗り出す姿勢で撮影ポーズを形成することができない。
【００１１】
そこで本発明はこのような問題を解決して、写真撮影装置の撮影ブース内において、ユーザが撮影ブース内のスペースを有効に活用して、より好みに応じた個性的な撮影ポーズを形成できるようにすることを目的とする。
【課題を解決するための手段】
【００１２】
上記課題を解決するために請求項１記載の発明は、撮影ブース内のユーザを撮影する撮影手段と、前記撮影ブース内に設けられ、前記ユーザの撮影ポーズの形成を補助する姿勢補助手段とを備える写真撮影装置であって、前記姿勢補助手段は、前記撮影ブース内の両側面の上下に沿って配置される一対の側部姿勢補助部と、一方の側部姿勢補助部の上部から他方の側部姿勢補助部の上部に向け、前記撮影ブース内の天井に沿って配置される上部姿勢補助部とを有し、前記一対の側部姿勢補助部は、前記ユーザの手足を支持する複数の手足支持部を異なる高さに有するものである。
【００１３】
このような構成によると、ユーザは、好みに応じた高さにある手足支持部に手を掛けたり足を掛けたりして、好みの高さにおいて様々な形態の撮影ポーズを形成することができ、これにより、撮影ポーズの自由度が高まるので、より個性的な撮影ポーズを容易に形成することができる。さらに、ユーザは、側部姿勢補助部を用いることで撮影ブースの側方を支点にして中央側に身を乗り出す姿勢で撮影ポーズを形成することができ、上部姿勢補助部を用いることで撮影ブースの中央部にて撮影ポーズを形成することができる。これにより、ユーザは、撮影ブースの両側面の近傍だけでなく撮影ブースの中央部でも前記姿勢補助手段を用いた写真撮影を行うことができ、撮影ブース全体を有効に活用することができる。また、上部姿勢補助部が天井に沿って設けられ、一対の側部姿勢補助部が側面に沿って設けられているので、姿勢補助手段が撮影ブースの中央付近を占有することがなく、姿勢補助手段がユーザに対して圧迫感を与えないようにすることができる。
【００１４】
請求項２記載の発明は、請求項１記載の写真撮影装置において、姿勢補助手段における上部姿勢補助部および一対の側部姿勢補助部は、梯子状であるものである。
【００１５】
このような構成によると、ユーザは、梯子の足場（側部姿勢補助部においては手足支持部に相当する）を用いて、イメージに合った撮影ポーズを容易にかつ楽な姿勢で形成することができる。また、上部姿勢補助部および一対の側部姿勢補助部が、互いに同じ梯子状であるので、姿勢補助手段全体として統一性が生まれるとともに外観も整うので、例えば、撮影ブース内に複数の異なる種類の姿勢補助手段が設置される場合に比べて、ユーザに煩雑感を与えないようにすることができる。
【００１６】
請求項３記載の発明は、請求項１または２記載の写真撮影装置において、姿勢補助手段は、上部姿勢補助部と一対の側部姿勢補助部とが一体的に連なる門型形状であるものである。
【００１７】
このような構成によると、上部姿勢補助部と一対の側部姿勢補助部とが一体的に連なる門型形状であるので、側部姿勢補助部を撮影ブース内の側面に固定さえすれば、上部姿勢補助部を撮影ブース内の天井や側面に固定する必要が無いので、例えば姿勢補助手段が撮影ブースの天井に固定される場合に比べて、上部姿勢補助部を天井等に固定する必要がない分、姿勢補助手段の設置作業を簡単に行うことができる。さらに、このような構成であることで、姿勢補助手段全体としての外観が整い、ユーザに対して煩雑感を与えないようにすることができる。
【００１８】
請求項４記載の発明は、請求項１〜３の何れか１項に記載の写真撮影装置において、撮影時にユーザの背景となる背景手段を有し、姿勢補助手段は、前記背景手段よりも前記ユーザ側に配置されているとともに撮影手段の撮影範囲外に配置されているものである。
【００１９】
このような構成によると、姿勢補助手段が背景手段よりもユーザ側に配置されていることで、例えば背景手段が複数種類の色や柄の背景カーテンを備える場合であれば、ユーザが姿勢補助手段を用いて同じ撮影ポーズを形成した場合であっても、背景カーテンを変更することで、仕上がる写真の印象を変化させることができ、ユーザは、よりイメージに合致した写真を容易に撮影することができる。また、姿勢補助手段が撮影手段の撮影範囲外に配置されていることで、ユーザが、例えば上部姿勢補助部からぶら下がった状態で撮影ポーズを形成した際には、仕上がる写真には姿勢補助手段が写り込まないので、ユーザは、宙に浮いているような個性的でかつ楽しい写真を撮影することができる。さらに、ユーザの中には姿勢補助手段を用いずに撮影ポーズを形成するユーザも多く、このようなユーザにとっては姿勢補助手段が撮影した写真に写り込むことが好ましくない場合がある。このような場合、通常であれば、姿勢補助手段の手前にカーテンなどを配置してこの姿勢補助手段を必要に応じて覆い隠したり、姿勢補助手段を移動させたりするといった措置をとる必要があるが、上記のように姿勢補助手段が撮影手段の撮影範囲外に配置されていることで、姿勢補助手段が仕上がる写真に写り込むことが無く、上記のような措置をとる必要がない。したがって、姿勢補助手段が仕上がり写真に写り込むことを欲しないユーザであっても、楽しく写真撮影を行うことができ、かつ、仕上がった写真を見て満足感を得ることができる。
【００２０】
請求項５記載の発明は、撮影ブース内のユーザを撮影する撮影手段を有する写真撮影装置における前記撮影ブース内に配置されて前記ユーザの撮影ポーズの形成を補助する写真撮影装置用姿勢補助具であって、前記撮影ブース内の両側面の上下に沿って配置される一対の側部姿勢補助部と、一方の側部姿勢補助部の上部から他方の側部姿勢補助部の上部に向け、前記撮影ブース内の天井に沿って配置される上部姿勢補助部とを有し、前記一対の側部姿勢補助部は、前記ユーザの手足を支持する手足支持部を長さ方向に沿って複数有するものである。
【００２１】
このような構成によると、ユーザは、好みに応じた高さにある手足支持部に手を掛けたり足を掛けたりして、好みの高さにおいて様々な形態の撮影ポーズを形成することができ、これにより、撮影ポーズの自由度が高まるので、より個性的な撮影ポーズを容易に形成することができる。さらに、ユーザは、側部姿勢補助部を用いることで撮影ブースの側方を支点として中央側に身を乗り出す姿勢で撮影ポーズを形成することができ、上部姿勢補助部を用いることで撮影ブースの中央部にて撮影ポーズを形成することができる。これにより、ユーザは、撮影ブースの両側面の近傍だけでなく撮影ブースの中央部でも前記写真撮影装置用姿勢補助具を用いた写真撮影を行うことができ、撮影ブース全体を有効に活用することができる。また、上部姿勢補助部が天井に沿って設けられ、一対の側部姿勢補助部が側面に沿って設けられているので、写真撮影装置用姿勢補助具が撮影ブースの中央付近を占有することがなく、写真撮影装置用姿勢補助具がユーザに対して圧迫感を与えないようにすることができる。
【００２２】
請求項６記載の発明は、請求項５記載の写真撮影装置用姿勢補助具において、上部姿勢補助部および一対の側部姿勢補助部は、梯子状であるものである。
【００２３】
このような構成によると、ユーザは、梯子の足場（側部姿勢補助部においては手足支持部に相当する）を用いて、イメージに合った撮影ポーズを容易にかつ楽な姿勢で形成することができる。また、上部姿勢補助部および一対の側部姿勢補助部が、互いに同じ梯子状であるので、写真撮影装置用姿勢補助具全体として統一性が生まれるとともに外観も整うので、例えば、撮影ブース内に複数の異なる種類の写真撮影装置用姿勢補助具が設置される場合に比べて、ユーザに煩雑感を与えないようにすることができる。
【００２４】
請求項７記載の発明は、請求項５または６記載の写真撮影装置用姿勢補助具において、上部姿勢補助部と一対の側部姿勢補助部とが一体的に連なる門型形状であるものである。
【００２５】
このような構成によると、上部姿勢補助部と一対の側部姿勢補助部とが一体的に連なる門型形状であるので、側部姿勢補助部を撮影ブース内の側面に固定さえすれば、上部姿勢補助部を撮影ブース内の天井や側面に固定する必要が無いので、例えば写真撮影装置用姿勢補助具が撮影ブースの天井に固定されている場合に比べて、上部姿勢補助部を天井等に固定する必要がない分、写真撮影装置用姿勢補助具の設置作業を簡単に行うことができる。さらに、このような構成であることで、写真撮影装置用姿勢補助具全体としての外観が整い、ユーザに対して煩雑感を与えないようにすることができる。
【発明の効果】
【００２６】
以上のように本発明によれば、写真撮影装置の撮影ブース内において、ユーザが撮影ブース内のスペースを有効に活用して、より好みに応じた個性的な撮影ポーズを形成することができる。
【発明を実施するための最良の形態】
【００２７】
本発明の実施の形態を、図１〜図１９を参照しながら説明する。
【００２８】
図１〜図３に示すように、写真撮影装置１は、被写体を撮影する撮影手段であるカメラ２を備えるとともに種々の処理および制御を行う機器を備える筐体３と、この筐体３におけるカメラ２と対向する位置に距離を置いて設けられている背景ユニット４と、筐体３と背景ユニット４の上部に左右一対の天井フレーム５が架設されて形成される撮影ブース６内に設けられ、被写体であるユーザ７の撮影ポーズの形成を補助する門型の姿勢補助手段（写真撮影装置用姿勢補助具）８とを備える。
【００２９】
筐体３におけるユーザ７に対向する側（以下、ユーザ側と記す）の面には、カメラ２のほか、カメラ２が現在撮影している画像をユーザ７に対してリアルタイムで表示し、かつ、ユーザ７からの操作入力を受け付けるとともにデモ画面や撮影操作の手順等をユーザ７に対して表示するタッチパネルディスプレイ９と、図示は省略するが、コインを投入するためのコイン投入口と、撮影操作時に音声案内やＢＧＭを出力する撮影側スピーカとが設けられている。
【００３０】
また、この筐体３のユーザ側とは反対側（以下、背面側と記す）の面には、図２および図３に示すように、撮影ブース６において撮影した画像を表示して付属のタッチペン２０によりユーザ７からの編集画像の入力を受け付けるタブレットディスプレイ２１と、図示は省略するが、編集入力操作時に音声案内やＢＧＭを出力する編集側スピーカとが設けられている。なお、図中の２２Ａは、この筐体３の背面側が面する空間であってユーザ７が編集入力操作を行う編集ブースである。また、詳細は後述するが、図中の２２Ｂは、背景ユニット４の背面側が面する編集ブースであり、本実施の形態の写真撮影装置１は、筐体３側および背景ユニット４側のそれぞれに編集ブースを有する構成であるので、これを明示するため、符号を異にしている。
【００３１】
さらに、図１〜図３に示すように、この筐体３の外部における一方の側面にはプリント取出口２３が設けられ、このプリント取出口２３からは、撮影画像と編集入力した画像とを合成した合成画像（編集画像を入力しなかった場合には撮影画像）が、筐体３に収納されたプリンタによってシールシートなどの印刷媒体に印刷されたものが排出される。
【００３２】
一方、図１〜図４に示すように、背景ユニット４におけるユーザ７に対向する側（以下、ユーザ側と記す）の上部には、撮影時にユーザ７の背景となる背景カーテン３０を複数種類備えたカーテンユニット３１が設けられている。それぞれの背景カーテン３０は、カーテンユニット３１内に巻き取られた状態で収納されており、カーテンユニット３１は、ユーザ７からタッチパネルディスプレイ９への操作を介して指定された背景カーテン３０を、背景ユニット４の壁面に沿って垂下させる。
【００３３】
また、背景ユニット４におけるユーザ側とは反対側（以下、背面側と記す）には、図２および図３に示すように、筐体３と同様、撮影ブース６において撮影した画像を表示して付属のタッチペン２０によりユーザ７からの編集画像の入力を受け付けるタブレットディスプレイ２１（図１においては省略）が設けられている。なお、図中の２２Ｂは、この背景ユニット４の背面側が面する空間であってユーザ７が編集入力操作を行う編集ブースである。上記の撮影ブース６および編集ブース２２Ａ、２２Ｂの周囲には、ユーザ７がそれぞれのブースにおいて操作処理を行う際に、他の利用者から画像等の内容が見えないようにするための周囲カーテンが設けられているが、図面の煩雑化を避けるため、図示は省略している。
【００３４】
撮影ブース６内に配置されている姿勢補助手段８の詳細を、図１〜図１２を参照しながら説明する。なお、説明の便宜上、図１のように見て筐体３から背景ユニット４にかけての方向を撮影ブース６の長さ方向、長さ方向に垂直な水平方向を撮影ブース６の幅方向、長さ方向に垂直な鉛直方向を撮影ブース６の高さ方向とする。図５は姿勢補助手段８の分解斜視図、図６は姿勢補助手段８を撮影ブース６の側面６ａに取り付ける際の取付構造の例を示す図、図７はカメラ２の撮影範囲４９と姿勢補助手段８との位置関係を示す図、図８は図６に示した場合とは異なる取付構造を示す図、図９は姿勢補助手段８の接地部４１ａの例を示す図、図１０〜図１２は姿勢補助手段８を用いた撮影ポーズの形成例を示す図である。
【００３５】
図１〜図７に示すように、姿勢補助手段８は、撮影ブース６内の側面６ａの上下に沿って配置される一対の側部姿勢補助部４０（以下、必要に応じて一方の側部姿勢補助部４０Ａ、他方の側部姿勢補助部４０Ｂのように使い分ける）と、一方の側部姿勢補助部４０Ａの上部から他方の側部姿勢補助部４０Ｂの上部に向け、撮影ブース６内の天井６ｂに沿って配置される上部姿勢補助部４４とを有し、背景カーテン３０よりもカメラ２側に配置されている。
【００３６】
側部姿勢補助部４０Ａ、４０Ｂおよび上部姿勢補助部４４は、パイプ状の部材により互いに同様の梯子状に形成されている。この側部姿勢補助部４０Ａ、４０Ｂは、撮影ブース６の側面６ａの上下に沿って平行に配置される２本の支柱部４１と、この２本の支柱部４１間に互いに異なる高さで架設されてユーザの手足を支持する複数の手足支持部４２とを有する。また、上部姿勢補助部４４は、一方の側部姿勢補助部４０Ａの上部から他方の側部姿勢補助部４０Ｂの上部に向け、撮影ブース６内の天井６ｂに沿って平行に配置される２本の支柱部４５と、この２本の支柱部４５間に互いに所定の間隔を置いて架設されてユーザが把持する複数の把持部４６とを有する。なお、一対の側部姿勢補助部４０に設けられている手足支持部４２の本数は、少なくとも２本以上が好ましく、ユーザ７がいろいろな高さにある手足支持部４２を好みに応じて使用できるようにされており、本実施の形態では、例えば手足支持部４２は７本設けられている。また、上部姿勢補助部４４においては、ユーザ７は支柱部４５にぶら下って撮影ポーズを形成することができるので、把持部４６は特に必要ではないが、上部姿勢補助部４４の強度の都合上、少なくとも１本以上設けられていることが望ましい。また、このように少なくとも１本以上設けられていると、ユーザ７はこれらを利用して新たな撮影ポーズを形成することができる。したがって、本実施の形態では、例えば把持部４６は４本設けられている。
【００３７】
また、上部姿勢補助部４４の両端部は下向きに湾曲した形状とされ、上部姿勢補助部４４のそれぞれの端部が、側部姿勢補助部４０Ａ、４０Ｂの上部にはめ合わせられ、上部姿勢補助部４４が一対の側部姿勢補助部４０に支持された状態で固定されている。これにより、姿勢補助手段８は、上部姿勢補助部４４と一対の側部姿勢補助部４０とが一体的に連なる門型形状に構成されている。
【００３８】
側部姿勢補助部４０Ａ、４０Ｂにおける上方および下方の２箇所には、側部姿勢補助部４０Ａ、４０Ｂを撮影ブース６の側面６ａに固定するための突出部４３が、撮影ブース６の側面６ａに向けて形成されている。
【００３９】
図６（ａ）および図６（ｂ）に示すように、側部姿勢補助部４０Ａ、４０Ｂは、この突出部４３に取付金具４７が取り付けられて撮影ブース６の側面６ａに固定されている。詳細には、取付金具４７は、突出部４３の外面に対応した半円形状の保持部４７ａと、この保持部４７ａから上下に延設されている取付部４７ｂとを有するΩ字状に形成されている。この保持部４７ａにより突出部４３を保持した状態で、保持部４７ａと突出部４３、取付部４７ｂと側面６ａにねじ４８がねじ込まれることで、側部姿勢補助部４０、すなわち姿勢補助手段８が側面６ａに強固に固定されている。
【００４０】
このとき、上部姿勢補助部４４が一対の側部姿勢補助部４０に支持された状態で固定されているので、側部姿勢補助部４０を撮影ブース６内の側面６ａに固定さえすれば、上部姿勢補助部４４を撮影ブース６内の天井６ｂや側面６ａに固定する必要が無く、例えば姿勢補助手段８が撮影ブース６の天井６ｂに固定されている場合に比べて、上部姿勢補助部４４を天井６ｂ等に固定する必要がない。したがって、その分、姿勢補助手段８の設置作業を簡単に行うことができる。なお、突出部４３は、手足支持部４２に対応する位置に形成されていることが好適である。このようにすると、ユーザ７は、例えば手足支持部４２から突出部４３にわたって足を掛けることができ、足場が広くなるのでその分、撮影ポーズを容易に形成かつ安定させることができる。
【００４１】
また、上記のように固定された状態の姿勢補助手段８は、上部姿勢補助部４４が天井６ｂに、一対の側部姿勢補助部４０が側面６ａに沿った形状であり、図７に示すように、カメラ２の撮影範囲４９内（２点鎖線の内側）に入り込まないようにされている。
【００４２】
なお、側部姿勢補助部４０が突出部４３を有しない形状であっても良い。この場合には、図８に示すような、Ｕ字形状の取付金具５０を用いる。この取付金具５０は、その両端部に形成されたカール状の保持部５０ａと、両方の保持部５０ａの中央部に設けられている取付部５０ｂとを有し、側部姿勢補助部４０における２本の支柱部４１をそれぞれの保持部５０ａで保持した状態で、保持部５０ａと支柱部４１、取付部５０ｂと側面６ａとにねじ４８をねじ込むことで、側部姿勢補助部４０、すなわち姿勢補助手段８を側面６ａに強固に固定することができる。また、この取付金具５０は、図示のように、手足支持部４２の下部に位置させると良い。このようにすることで、取付金具５０における保持部５０ａが手足支持部４２のすぐ上に位置する場合に比べて、保持部５０ａが、手足支持部４２に手足を掛けようとするユーザ７の邪魔にならないようにすることができる。
【００４３】
また、上記においては、側部姿勢補助部４０Ａ、４０Ｂが撮影ブース６の床面に接触する箇所は、それぞれの支柱部４１と同径に図示しているが、図９に示すように、支柱部４１よりも大きい円盤状の接地部４１ａを設けることが好ましい。このようにすることで、ユーザ７が姿勢補助手段８にぶら下がるなどして撮影ポーズを形成した際に、姿勢補助手段８をより安定した状態で固定することができ、また、姿勢補助手段８を撮影ブース６内に設置する際に、姿勢補助手段８がふらつくことを抑制し、姿勢補助手段８の設置作業を円滑に進めることができる。なお、接地部４１ａは、上記の円盤形状に限られず、接地部４１ａを設けない場合に比べて接地面積を大きくできる形状であれば、その形状は適宜でよい。また、図中の接地部４１ａどうしをつなげた長円形状であっても良い。
【００４４】
以上のように、姿勢補助手段８が、側面６ａに沿って配置されている一対の側部姿勢補助部４０と、天井６ｂに沿って配置されている上部姿勢補助部４４とから構成されていることで、姿勢補助手段８を利用するユーザ７は、撮影ブース６の側面６ａの近傍や中央部においてさまざまな撮影ポーズを形成することができる。
【００４５】
例えば、図１０に示すように、ユーザ７ａおよび７ｃは、側部姿勢補助部４０における複数の手足支持部４２のうちの何れかに一方の足を掛け、好みに応じた高さに位置し、さらに一方の手で側部姿勢補助部４０の支柱部４１あるいは手足支持部４２を把持し、他方の手足を大きく広げて、撮影ブース６の側方を支点にして中央側に身を乗り出す姿勢で撮影ポーズを形成することができ、また、ユーザ７ｂは、上部姿勢補助部４４の支柱部４５または把持部４６を把持して撮影ブース６の中央にてぶら下がる姿勢で撮影ポーズを形成することができる。この場合、上部姿勢補助部４４は撮影ブース６の幅寸法とほぼ同様の寸法であり、図示においては、上部姿勢補助部４４からぶら下がるユーザは一人であるが、このような撮影ポーズを２〜３人のユーザが横並びの状態で形成することも可能である。
【００４６】
このように、一対の側部姿勢補助部４０および上部姿勢補助部４４に複数の手足支持部４２、把持部４６が設けられていることで、ユーザ７は、撮影ポーズの自由度が高まるので、イメージに合う好みの撮影ポーズを容易に形成することができる。また、ユーザ７は、撮影ブース６の側面のみに姿勢補助手段が設けられている場合や中央部のみに姿勢補助手段が設けられている場合に比べて、撮影ブース６における両側の側面６ａの近傍だけでなく撮影ブース６の中央部でも姿勢補助手段８を用いた写真撮影を行うことができ、撮影ブース６全体を有効に活用することができる。
【００４７】
また、上部姿勢補助部４４が天井６ｂに沿って設けられ、一対の側部姿勢補助部４０が側面６ａに沿って設けられているので、姿勢補助手段８が撮影ブース６の中央付近を占有することがなく、姿勢補助手段８がユーザ７に対して圧迫感を与えないようにすることができる。
【００４８】
また、図１１に示すように、ユーザ７ａおよび７ｂは、側部姿勢補助部４０における複数の手足支持部４２のうちの何れかに足を掛け、好みに応じた高さに位置し、この状態で、上部姿勢補助部４４における支柱部４５または把持部４６を把持することで、ユーザ７ａ、７ｂは、例えば姿勢補助手段が撮影ブース６の側面のみや中央部のみに設けられている場合では形成することができない撮影ポーズ、すなわち撮影ブース６の上方において側面６ａから中央側に傾斜する姿勢の撮影ポーズを容易に形成することができる。これにより、ユーザ７は、撮影ポーズの自由度が高まるので、イメージに合う好みの撮影ポーズを容易に形成することができ、所望の写真撮影を行うことができる。
【００４９】
さらに、図１２に示すように、ユーザ７ａが、一方の側部姿勢補助部４０Ａにおける手足支持部４２を把持しつつ他方の側部姿勢補助部４０Ｂにおける手足支持部４２に両足を掛け、撮影ブース６の上方において一方の側部姿勢補助部４０Ａから他方の側部姿勢補助部４０Ｂにわたる撮影ポーズを形成して保持し、この状態で他方のユーザ７ｂがカメラ２に近付いて両腕を上に大きく広げる姿勢で撮影ポーズを形成することができる。このような撮影ポーズで撮影した場合には、姿勢補助手段８がカメラ２の撮影範囲４９から外れて撮影写真に写り込まないことから、あたかも一方のユーザ７ａが他方のユーザ７ｂによって持ち上げられているような個性的で楽しい写真を撮影することができる。
【００５０】
上記のようにして、より個性的で自分の好みに合致した写真を満足に撮影したユーザ７は、撮影した画像が表示される編集ブース２２Ａ（または２２Ｂ）に移動し、タッチペン２０を用いて、撮影画像が表示されるタブレットディスプレイ２１に編集入力を行う。そして、編集入力が終わると、ユーザ７は、撮影画像と編集入力画像とが合成処理されて生成された印刷用画像がシールシートに印刷されて排出されるプリント取出口２３に移動し、出力されるシールシートを取得して写真撮影装置１の利用を終了する。なお、上記の撮影処理、編集処理および印刷処理の詳細については、写真撮影装置の分野において既に公知であるので、本実施の形態においては説明を省略する。
【００５１】
なお、上記においては、姿勢補助手段８が、一対の側部姿勢補助部４０と上部姿勢補助部４４とが一体的に連なる門型形状の場合を説明したが、これに限らず、例えば図１３に示すように、一対の側部姿勢補助部４０と上部姿勢補助部４４とが分離していても良い。この場合、上部姿勢補助部４４を撮影ブース６の天井６ｂに、上記の取付金具等を用いて適宜固定する（図示は省略）。このような構成であっても、上記の写真撮影装置１と同様に、ユーザ７は撮影ポーズの自由度が高くなるので、より好みに応じた個性的な撮影ポーズを形成することができる。
【００５２】
また、上記においては、撮影ブース６内に姿勢補助手段８のみを配置した場合を説明したが、このような姿勢補助手段８に加えて、図１４に示すように、撮影ブース６内に、姿勢補助手段８の内側に収まる大きさの可動椅子５１を配置しても良い。このような可動椅子５１であれば、姿勢補助手段８の内側に収まる大きさで、収まった状態ではユーザ７に対して煩雑感を与えることは無く、また、ユーザ７は姿勢補助手段８と可動椅子５１とを用いた撮影ポーズを形成することができるので、撮影ポーズの自由度がさらに高まり、より個性的な撮影ポーズを形成することができる。
【００５３】
また、一対の側部姿勢補助部４０および上部姿勢補助部４４は、上記において図示した形状に限られず、例えば図１５に示す形状であっても良い。詳細には、上部姿勢補助部４４の両端部が下側に向けて傾斜した形状であり、一対の側部姿勢補助部４０における手足支持部４２が撮影ブース６の内側に向けて突出した形状である。このような構成であると、上記において説明したような、手足支持部４２が撮影ブース６の内側に突出していない場合に比べて、ユーザ７は手足支持部４２に手足を掛けやすくなり、より簡単に撮影ポーズを形成することができる。
【００５４】
また、上記においては、一対の側部姿勢補助部４０が撮影ブース６の高さ方向に平行に配置され、上部姿勢補助部４４が撮影ブース６の幅方向に平行に配置されている場合を説明したが、このような形態に限られず、図示はしないが、一対の側部姿勢補助部４０が撮影ブース６の側面６ａに沿って配置されているのであれば、一対の側部姿勢補助部４０が撮影ブース６のカメラ２側あるいは背景カーテン３０側に傾斜した状態であっても良い。同じく、上部姿勢補助部４４が撮影ブース６の天井６ｂに沿って配置されているのであれば、上部姿勢補助部４４の一端側がカメラ２寄りで他端側が背景カーテン３０寄りというように幅方向に対して傾斜していても良い。
【００５５】
また、上記の姿勢補助手段８は、撮影範囲４９よりも外側に設けられて写真には写らないが、側部姿勢補助部４０Ａ、４０Ｂ、上部姿勢補助部４４の配色や、側部姿勢補助部４０Ａの上部と下部など、さまざまに配色を異ならせることで、ユーザ７の目を楽しませるようにするとさらに好適である。
【００５６】
さらに、上記においては、一対の側部姿勢補助部４０および上部姿勢補助部４４が梯子状である場合の説明をしたが、これに限らず、一対の側部姿勢補助部および上部姿勢補助部は、図１６に示すように、一本の支柱部６１の両側に複数の手足支持部６２（上部姿勢補助部４１においては把持部６２、以下同様）が異なる高さに設けられている場合や、図１７に示すように、一本の支柱部６１の両側に複数の手足支持部６２が異なる高さに、かつ、左右で互い違いに設けられている場合であっても良い。また、図５に示した姿勢補助手段８では、一対の側部姿勢補助部４０および上部姿勢補助部４４がパイプ状の部材により形成されている場合を示したが、図１８および図１９に示すように、一対の側部姿勢補助部４０の支柱部４１および上部姿勢補助部４４の支柱部４５はパイプ状の部材のままで、手足支持部４２および把持部４６を、パイプ状の部材に変えて、太めのロープなどの部材に変更しても良い。図１８は、２本の支柱部７１の間に手足支持部または把持部としてのロープ７２が互いに交差しないように所定の間隔で配置されている場合であり、図１９はロープ７２が斜めに交差するように配置されている場合である。このように、手足支持部または把持部としてロープ７２を用いることで、撮影ポーズの形成時に、ユーザ７の体重がロープ７２に作用すると、このロープ７２が弛み、その位置においてユーザ７を保持するので、このユーザ７のポーズ姿勢をより安定させることができる。
【００５７】
以上のように本発明によると、ユーザ７は、好みに応じた高さにある手足支持部４２に手を掛けたり足を掛けたりして、好みの高さにおいて様々な形態の撮影ポーズを形成することができ、これにより、撮影ポーズの自由度が高まるので、より個性的な撮影ポーズを容易に形成することができる。さらに、ユーザ７は、側部姿勢補助部４０を用いることで撮影ブース６の側方を支点として中央側に身を乗り出す姿勢で撮影ポーズを形成することができ、上部姿勢補助部４４を用いることで撮影ブース６の中央部にて撮影ポーズを形成することができる。これにより、ユーザ７は、撮影ブース６の両側面の近傍だけでなく撮影ブース６の中央部でも姿勢補助手段８を用いた写真撮影を行うことができ、撮影ブース６全体を有効に活用することができる。また、上部姿勢補助部４４が天井６ｂに沿って設けられ、一対の側部姿勢補助部４０が側面６ａに沿って設けられているので、姿勢補助手段８が撮影ブース６の中央付近を占有することがなく、姿勢補助手段８がユーザ７に対して圧迫感を与えないようにすることができる。
【図面の簡単な説明】
【００５８】
【図１】本発明の実施の形態の写真撮影装置の斜視図である。
【図２】図１に示す写真撮影装置の側面図である。
【図３】図１に示す写真撮影装置の平面図である。
【図４】撮影ブース内から背景ユニット側を見た斜視図である
【図５】姿勢補助手段の分解斜視図である。
【図６】撮影ブース内の側面と姿勢補助手段との取付構造の一例を示す図である。
【図７】姿勢補助手段と撮影範囲との位置関係を示す図である。
【図８】図６に示す取付構造とは異なる取付構造の例を示す図である。
【図９】側部姿勢補助部の接地部の例を示す図である。
【図１０】姿勢補助手段を用いた撮影ポーズの形成例を示す図である。
【図１１】姿勢補助手段を用いた撮影ポーズの形成例を示す図である。
【図１２】姿勢補助手段を用いた撮影ポーズの形成例を示す図である。
【図１３】一対の側部姿勢補助部と上部姿勢補助部とが一体的に連なっていない場合の姿勢補助手段を示す図である。
【図１４】姿勢補助手段に加えて撮影ブース内に可動椅子を配置した場合を示す図である。
【図１５】図５に示す姿勢補助手段とは異なる姿勢補助手段を示す図である。
【図１６】側部姿勢補助部および上部姿勢補助部の形状の例を示す図である。
【図１７】側部姿勢補助部および上部姿勢補助部の形状の例を示す図である。
【図１８】側部姿勢補助部および上部姿勢補助部の形状の例を示す図である。
【図１９】側部姿勢補助部および上部姿勢補助部の形状の例を示す図である。
【符号の説明】
【００５９】
２    カメラ
６    撮影ブース
７    ユーザ
８    姿勢補助手段
４０    一対の側部姿勢補助部
４４    上部姿勢補助部
【図１】
2007041241.tif 000003
【図２】
2007041241.tif 000004
【図３】
2007041241.tif 000005
【図４】
2007041241.tif 000006
【図５】
2007041241.tif 000007
【図６】
2007041241.tif 000008
【図７】
2007041241.tif 000009
【図８】
2007041241.tif 000010
【図９】
2007041241.tif 000011
【図１０】
2007041241.tif 000012
【図１１】
2007041241.tif 000013
【図１２】
2007041241.tif 000014
【図１３】
2007041241.tif 000015
【図１４】
2007041241.tif 000016
【図１５】
2007041241.tif 000017
【図１６】
2007041241.tif 000018
【図１７】
2007041241.tif 000019
【図１８】
2007041241.tif 000020
【図１９】
2007041241.tif 000021